(57)【要約】【課題】リモコンホルダーが座席シートの後方に配置されているため、オペレータは、座席シートに座った状態でのオーガリモコンの取扱いが面倒である。【解決手段】右前キャビンフレーム１５ａの前方にあって、フロントガラス１７の際にリモコンホルダー３０を配置する。該リモコンホルダー３０は、オーガリモコン３６の背面がフロントガラス１７の前面１７ａと側面１７ｂとの角隅部Ｃに対向するように配置される。【選択図】図７
2018196337.tif 000002
【特許請求の範囲】
【請求項１】
穀稈を刈取る前処理部と、刈取られた穀稈を脱穀し選別する脱穀装置と、脱穀、選別された穀粒を貯留するグレンタンクと、該グレンタンク内の穀粒を排出するオーガと、前記オーガを操作するオーガリモコンと、前記グレンタンクの前方に配置されキャビンにより覆われている運転席と、を備えてなるコンバインにおいて、
前記キャビンは、複数のキャビンフレームと、これら複数のキャビンフレームの内の前部に位置する前部キャビンフレームの前方に配置されたフロント透明体と、前記運転席へのオペレータの乗降口となる開放部と、を有し、
前記オーガリモコンは、前記キャビン内の前記フロント透明体における前記開放部側の際に配置されたリモコンホルダーに着脱自在に支えられてなる、
ことを特徴とするコンバイン。
【請求項２】
前記フロント透明体は、前面及び側面を有し、前記前面及び側面の境となる角隅部に前記オーガリモコンの背面が対向するように前記リモコンホルダーを配置してなる、
請求項１記載のコンバイン。
【請求項３】
開放部側の前記前部キャビンフレームに、折曲げ部を有する支持ブラケットを一体に固定し、前記折曲げ部に設けた雌ネジに、前記キャビンの内方から雄ネジ部材を螺着することにより前記リモコンホルダーを取り付けてなる、
請求項１又は２記載のコンバイン。
【発明の詳細な説明】
【技術分野】
【０００１】
本発明は、オーガを備えたコンバインに係り、詳しくはオーガを操作するオーガリモートコントロール（以下オーガリモコンという）の運転席における配置構造に関する。
【背景技術】
【０００２】
一般に、コンバインは、グレンタンクに貯留されている穀粒を軽トラック等に移送するオーガを備えており、オーガは、昇降、旋回及び穀粒の排出、停止等の操作を行い得る。該オーガの作動をコントロールするオーガリモコンが、運転席に配置されている。
【０００３】
従来、オーガリモコンは、コードで機体と繋がっており、運転席のオーガリモコンは、座席シートの背面に配置されたホルダーに収められている（特許文献１参照）。これにより、運転席のキャビンのドアを明けた状態で、乗降口からオーガリモコンを取外すことなく操作することが可能となる。
【先行技術文献】
【特許文献】
【０００４】
【特許文献１】特開２０１２−６５６１５号公報
【発明の概要】
【発明が解決しようとする課題】
【０００５】
上記運転席のオーガリモコンは、座席シートの後方に配置されているため、オペレータが座席シートに座ったままで該オーガリモコンをホルダーから取外すことが困難であり、オペレータが、キャビン内でオーガリモコンを操作するのは面倒であった。
【０００６】
そこで、本発明は、オペレータが運転席に居る状態でも、また乗降口から降りた状態でも、オーガリモコンを容易かつ確実に操作し得るようにリモコンホルダーを配置し、もって上述した課題を解決したコンバインを提供することを目的とするものである。
【課題を解決するための手段】
【０００７】
本発明は、穀稈を刈取る前処理部（５）と、刈取られた穀稈を脱穀し選別する脱穀装置（６）と、脱穀、選別された穀粒を貯留するグレンタンク（９）と、該グレンタンク内の穀粒を排出するオーガ（１０）と、前記オーガを操作するオーガリモコン（３６）と、前記グレンタンク（９）の前方に配置されキャビン（１３）により覆われている運転席（７）と、を備えてなるコンバイン（１）において、
前記キャビン（１３）は、複数のキャビンフレーム（１５）と、これら複数のキャビンフレームの内の前部に位置する前部キャビンフレームの前方に配置されたフロント透明体（１７）と、前記運転席へのオペレータの乗降口となる開放部（１８）と、を有し、
前記オーガリモコン（３６）は、前記キャビン（１３）内の前記フロント透明体（１７）における前記開放部（１８）側の際に配置されたリモコンホルダー（３０）に着脱自在に支えられてなる、
ことを特徴とするコンバインにある。
【０００８】
例えば図７，図８を参照して、前記フロント透明体（１７）は、前面（１７ａ）及び側面（１７ｂ）を有し、前記前面及び側面の境となる角隅部（Ｃ）に前記オーガリモコン（３６）の背面が対向するように前記リモコンホルダー（３０）を配置してなる。
【０００９】
例えば図９を参照して、開放部側の前記前部キャビンフレーム（１５ａ）に、折曲げ部（３２ｂ）を有する支持ブラケット（３２）を一体に固定し、前記折曲げ部に設けた雌ネジ（３７）に、前記キャビン（１３）の内方から雄ネジ部材（４０）を螺着することにより前記リモコンホルダー（３０）を取り付けてなる。
【００１０】
なお、上記カッコ内の符号は、図面と対照するためのものであるが、これにより特許請求の範囲の記載に何等影響を及ぼすものではない。
【発明の効果】
【００１１】
請求項１に係る本発明によると、リモコンホルダーをフロント透明体の開放部側の際に配置したので、オペレータは、運転席に居て、オーガリモコンをリモコンホルダーに立てた状態で操作することも、またリモコンホルダーから外して、開放部から外に出て操作をすることもでき、オーガリモコンを各種状況に合せて、適格にかつ容易に操作をすることができる。
【００１２】
また、リモコンホルダーは、フロント透明体の際に配置されているので、コンバインの操作、例えばステアリングレバーを、オーガリモコンに邪魔されることなく確実に操作することができる。
【００１３】
請求項２に係る本発明によると、前部キャビンフレームより前方に配置されたフロント透明体が、前面及び側面を有し、その境となる角隅部に、オーガリモコン背面が対向するようにリモコンホルダーを配置したので、オーガリモコンは、操作部となる正面が運転席に居るオペレータに向くようにリモコンホルダーに立てられ、オペレータは、例えば座席シートに座ったままで正確かつ容易にオーガリモコンを操作することができる。また、リモコンホルダーの背面側に、上記フロント透明体の角隅部との間に所定の空間ができ、オペレータは、該空間に手指を入れてオーガリモコンをリモコンホルダーから容易に取外すことができる。
【００１４】
請求項３に係る本発明によると、開放部側の前部キャビンフレームに支持ブラケットを固定し、該支持ブラケットの折曲げ部に設けた雌ネジに雄ネジ部材を螺着することによりリモコンホルダーを取付けたので、リモコンホルダーを確実にかつ容易に取付けることができ、かつ上記支持ブラケットの折曲げ部の角度により、オーガリモコンの正面が運転席のオペレータに向くように容易に取付けることができる。
【図面の簡単な説明】
【００１５】
【図１】コンバインの側面図。
【図２】コンバインの平面図。
【図３】コンバインの運転席部分を示す斜視図。
【図４】運転席の機体内側からみた側面図。
【図５】運転席の平面図。
【図６】その操作部を示す座席シート側からみた正面図。
【図７】操作部の右側部分を示す拡大平面図。
【図８】オーガリモコンホルダー部分を示す図で、（ａ）は機体内方からみた側面図、（ｂ）は機体後方（座席シート側）からみた正面図。
【図９】オーガリモコンホルダーを分解した斜視図。
【図１０】オーガリモコンを示す正面図。
【発明を実施するための形態】
【００１６】
以下、図面に沿って、本発明の実施の形態について説明する。コンバイン１は、図１及び図２に示すように、クローラ走行装置２により支持されている走行機体３を有しており、走行機体３の前方には前処理部（刈取り部）５が昇降自在に連結されている。上記走行機体の左側には脱穀装置６が配置され、右側には前方に運転席７が配置され、その後方にグレンタンク９が配置されている。
【００１７】
グレンタンク９にはオーガ１０が配置されており、該オーガは、縦ラセンからなる基部１１に左右に揺動自在にかつ上下に昇降自在に駆動され、上記グレンタンク９内に貯留された穀粒を軽トラック等の所望の位置に向けて排出し得る。該オーガ１０の先端にある排出口１０ａ内にはフラップ（図示せず）が前後方向に揺動自在かつ開閉自在に配置されている。
【００１８】
上記運転席７は、図３〜図６に示すように、キャビン１３により覆われており、該キャビン１３は、四隅部分に機体３から立設されたキャビンフレーム１５…及びこれらキャビンフレーム１５の上端に固定された天板１６を有し、その四方の面がガラス等の透明体により区画されている。フロントガラス１７は、前部のキャビンフレーム１５より前方に位置し、上方が前方に突出するように傾斜している前面１７ａと、該前面の両側において上記キャビンフレーム１５に向けて延びる側面１７ｂとを有する。キャビン右側は、乗降口となる開放部１８となっており、該開放部はスライドドア１９（図１参照）により開閉自在になっている。
【００１９】
運転席７には、座席シート２０が配置されており、その前方のフロントガラス１７際には前操作パネル２１が配置されている。前操作パネル２１の中央側には液晶表示から表示装置２４及びモニタ操作ボタン２２が配置されている。操作パネルの右寄り部分にはステアリングレバー２３が立設して配置されており、該ステアリングレバー２３は、左右方向の操作により走行機体を左右に操行し、前後方向の操作により前処理部５を昇降する。該ステアリングレバー２３の後部分にはアームレスト２５が機体から突出して配置されており、オペレータは右手首部分を該アームレスト２５に置いて上記ステアリングレバー２３を操作し得る。また、座席シート２０の左方に左操作パネル２８が配置され、該左操作パネルには主変速レバー２６及び副変速レバー２７等の各操作具が配置されている。
【００２０】
そして、図６〜図８に示すように、前操作パネル２１の上方にあって、かつ右前キャビンフレーム１５ａの前方でフロントガラス１７際に、オーガリモートコントローラ（オーガリモコン）３６を収納するリモコンホルダー３０が配置されている。該リモコンホルダー３０は、図９に示すように、断面矩形状の型材からなる右前キャビンフレーム１５ａの長手方向中間部分に取付けられる。具体的には、該右前キャビンフレーム１５ａの前面に断面コ字状のフレームブラケット３１が前方に向けて溶接等により固着される。該フレームブラケット３１にはプレート状の支持ブラケット３２が固着されており、上記フレームブラケット３１及び支持ブラケット３２は、フロントガラス１７の側面１７ｂに沿わせて平行に配置されている。フレームブラケット３１には２個の孔３１ａ，３１ａが形成され、支持ブラケット３２には２個の孔が形成されると共にその裏面にナット（雌ネジ）３３が溶接により固着されている。上記フレームブラケット３１の孔３１ａにねじ（雄ネジ部材）３５，３５が差込まれ、該ネジをナット３３，３３に螺着することにより、支持ブラケット３２がフレームブラケット３１のコ字状内に入るようにして一体に固定される。支持ブラケット３２は、上記固着された本体プレート部に対して約４５度に折曲された折曲げ部３２ａを有しており、該折曲げ部は本体プレート部より上方に突出した突出部３２ｂを有しており、該突出部３２ｂは折曲げ部３２ａに対して所定角度で後方に傾斜している。該折曲げ突出部３２ｂには上下に２個の貫通孔が形成されており、これら貫通孔の背面にナット（雌ネジ）３７，３７が溶接により固着されている。
【００２１】
上記リモコンホルダー３０は、１本の線材３５を折曲して構成されており、比較的幅狭の平行な線材からなる固定部３０ａと、オーガリモコン３６の下端を支える底支持部３０ｂと、該オーガリモコンの下部背面を支える下背面支持部３０ｃと、横方向に延びる１本の線材からなりリモコンの上部背面を支える上背面支持部３０ｄと、該上背面支持部の両端から前後方向に延びてリモコンの左右側面を支える左右支持部３０ｅと、該左右支持部３０ｅから下方に向けて幅狭となるように上記底支持部３０ｂに向けて斜めに延びる前面支持部３０ｆとからなる。
【００２２】
上記支持ブラケット３２の傾斜している折曲げ突出部３２ｂに、上記リモコンホルダー３０の固定部３０ａが当てられ、更に該固定部を挟むように側面コ字状の取付板３９が当てられて、ねじ４０，４０が取付板３９の貫通孔を通して上記ナット３７，３７に螺合することにより、リモコンホルダー３０が取付けられる。
【００２３】
これにより、リモコンホルダー３０は、図７及び図８に示すように、フロントガラス（透明体）１７の前面１７ａと側面１７ｂとの角隅部Ｃに沿うように、かつ該ホルダー３０に支えられるオーガリモコン３６の背面が上記角隅部Ｃに対向して該角隅部Ｃの傾斜に沿うように配置される。従って、該リモコンホルダー３０に支えられたオーガリモコン３６は、ステアリングレバー２３の前後及び左右の操作範囲から離れて配置され、かつ該オーガリモコン３６の操作部３６ａを有する正面は、座席シート２０のオペレータに向くように、機体の内側及び上側に向けて傾斜して配置される。なお、上記フロントガラス（透明体）１７は、前面１７ａと、左右の側面１７ｂとからなる別個のガラスからなり、前面１７ａの左右端と側面１７ｂの前端が角隅部Ｃで接合しているが、これに限らず１枚の透明体の左右が湾曲して前面１７ａ及び側面１７ｂを形成するものでもよい。従って、角隅部Ｃは、本実施の形態のように９０度に近く角部になるものに限らず、湾曲した曲面からなるものでもよい。
【００２４】
オーガリモコン３６は、そのケース下端からコード４２が延びており、該コード４２は、図８（ｂ）に示すようにリールコード４３を介して機体内に接続している。また、該オーガリモコン３６の操作部３６ａは、図１０に示すように、ケース下方に上記オーガフラップの開及び閉スイッチ４５が配置され、中央部分にオーガを旋回操作するスイッチ４６が配置され、該スイッチは、その中央にオーガを自動旋回・収納スイッチが配置され、その上下左右に手動による上下スイッチ及び左右スイッチに配置されている。ケースの上方部分には右側にオーガの排出位置を選択する選択スイッチ４９が配置され、該選択スイッチは、その操作毎にオーガの排出位置を機体の左、後方、右に順次切換え、該排出位置はインジケータランプに表示される。ケースの上方左側にはオーガの作動（駆動）、非作動（停止）を切換える穀粒排出スイッチ５１が配置され、その切換え位置はインジケータで表示される。
【００２５】
前記コンバイン１は、前処理部５で穀稈を刈取りながら前進し、該刈取られた穀稈は、脱穀装置６に搬送されて、脱穀、選別され、選別された穀粒は、グレンタンク９に貯留される。この際、オペレータは、運転席７にてステアリングレバー２３等を操作しつつ上記作業を進行するが、リモコンホルダー３０に支持されるオーガリモコン３６は、キャビン１３内の右前キャビンフレーム１５ａの前方の空間であって、フロントガラス１７の前面１７ａ及び側面１７ｂに近接しかつ前面及び側面の角隅部Ｃに沿うように配置され、該オーガリモコン３６が上記ステアリングレバー２３の操作に邪魔になることはない。
【００２６】
上記グレンタンク９が満杯になると、上記刈取り、脱穀等の作業を中止し、オペレータは、コンバイン１を予め畦際に停車した軽トラックに接近する。そして、オーガリモコン３６を操作して、オーガ１０を上昇、旋回してその排出口１０ａを軽トラック上に位置する。更に、穀粒排出スイッチ５１によりオーガ１０を作動してグレンタンク９内の穀粒を排出すると共に、フラップを開放し、かつ選択スイッチ４９によりオーガ１０の排出位置を選択する。グレンタンク９内の穀粒が空になると、オペレータは、オーガの作動を中止し、スイッチ４６によりオーガ１０を収納する。
【００２７】
上記オーガの操作は、オーガリモコン３６をリモコンホルダー３０に立てたままでも、その操作面（部）３６ａがオペレータ方向に向いているので、オペレータは運転席７内にて容易に操作することもできる。また、オペレータは、オーガリモコン３６を上方に持上げることによりリモコンホルダー３０から引抜いて、該取外したオーガリモコン３６を持ち、運転席７内にて四方の透明体を通して又はスライドドア１９から運転席の外に出て、オーガ先端を見ながら操作することもできる。この際、リモコンホルダー３０は、その背面と、フロントガラス１７（特に角隅部Ｃ）との間に所定空間があるので、オペレータは、オーガリモコン３６を持ってリモコンホルダー３０から容易に取外すことができる。
【符号の説明】
【００２８】
１      コンバイン
３      （走行）機体
５      前処理部
６      脱穀装置
７      運転席
９      グレンタンク
１０      オーガ
１３      キャビン
１５      キャビンフレーム
１５ａ    開放部側の前部（右前）キャビンフレーム
１７      フロント透明体（ガラス）
１７ａ    前面
１７ｂ    側面
１８      開放部
Ｃ      角隅部
３０      リモコンホルダー
３１      フレームブラケット
３２      支持ブラケット
３２ａ    折曲げ部
３２ｂ    折曲げ（部）突出部
３６      オーガリモコン
３７      雌ネジ（ナット）
４０      雄ネジ部材（ねじ）
【図１】
2018196337.tif 000003
【図２】
2018196337.tif 000004
【図３】
2018196337.tif 000005
【図４】
2018196337.tif 000006
【図５】
2018196337.tif 000007
【図６】
2018196337.tif 000008
【図７】
2018196337.tif 000009
【図８】
2018196337.tif 000010
【図９】
2018196337.tif 000011
【図１０】
2018196337.tif 000012